(57)【要約】【課題】室内にイオンを好ましい濃度で分布させるイオン発生装置を提供する。【解決手段】イオン発生装置は、イオンを空気中に放出させるイオン発生装置本体１００と、空気中に放出されたイオンの量を検出するイオン量検出器９１，９２，９３，９４とを備える。イオン発生装置本体１００は、プラスイオン発生部６１とマイナスイオン発生部６２と、プラスイオン発生部６１とマイナスイオン発生部６２で発生されたイオンを空気中に放出するイオン放出口７３とを含む。イオン量検出器９１，９２，９３，９４はイオン発生装置本体１００から離隔して配置される。イオン量検出器９１，９２，９３，９４は、それぞれ、互いに離隔して配置される。イオン発生装置は、それぞれのイオン量検出器９１，９２，９３，９４が検出したイオンの量に基づいて、イオン放出口７３から空気中に放出されるイオンの放出方向を変更する回転台８０をさらに備える。【選択図】図１
2010266139.tif 000002
【特許請求の範囲】
【請求項１】
イオンを空気中に放出させるイオン発生装置本体と、
空気中に放出されたイオンを検出する複数のイオン検出部とを備え、
前記イオン発生装置本体は、
イオンを発生させるイオン発生部と、
前記イオン発生部で発生されたイオンを空気中に放出するイオン放出部とを含み、
前記イオン検出部は、前記イオン発生装置本体から離隔して配置され、
前記複数のイオン検出部は、それぞれ、互いに離隔して配置され、さらに、
それぞれの前記イオン検出部が検出したイオンの量に基づいて、前記イオン放出部から空気中に放出されるイオンの放出方向を変更するイオン放出方向変更部を備える、イオン発生装置。
【請求項２】
前記イオン発生部は、それぞれの前記イオン検出部が検出したイオンの量に基づいて、発生させるイオンの量を変更するように構成されている、請求項１に記載のイオン発生装置。
【請求項３】
前記イオン発生部は、前記イオン検出部が検出したイオンの量が、あらかじめ定められた所定の量よりも少ない場合に、発生させるイオンの量を増加させるように構成されている、請求項１または請求項２に記載のイオン発生装置。
【請求項４】
前記イオン発生部は、前記イオン検出部が検出したイオンの量が、あらかじめ定められた所定の量よりも多い場合に、発生させるイオンの量を減少させるように構成されている、請求項１から請求項３までのいずれか１項に記載のイオン発生装置。
【請求項５】
前記イオン放出方向変更部は、前記複数のイオン検出部のうち、イオンを検出した量が最も少ない前記イオン検出部の方向にイオンを放出するように、前記イオン放出部のイオンの放出方向を変更する、請求項１から請求項４までのいずれか１項に記載のイオン発生装置。
【請求項６】
前記イオン放出方向変更部は、前記複数のイオン検出部のうち、イオンを検出した量があらかじめ定められた所定の量よりも少ない前記イオン検出部の方向にイオンを放出するように、前記イオン放出部のイオンの放出方向を変更する、請求項１から請求項５までのいずれか１項に記載のイオン発生装置。
【請求項７】
前記イオン放出方向変更部は、前記複数のイオン検出部のうち、イオンを検出した量があらかじめ定められた所定の量よりも多い前記イオン検出部の方向に放出されるイオンの量を減少させるように、前記イオン放出部のイオンの放出方向を変更する、請求項１から請求項６までのいずれか１項に記載のイオン発生装置。
【請求項８】
前記イオン発生部で発生されるイオンを送出するために送風を行う送風部を備え、
前記送風部は、それぞれの前記イオン検出部が検出したイオンの量に基づいて、送風の向き、および／または、送風の量を変更するように構成されている、請求項１から請求項７までのいずれか１項に記載のイオン発生装置。
【請求項９】
前記送風部は、前記複数のイオン検出部のうち、イオンを検出した量が最も少ない前記イオン検出部の方向に送風するように送風の向きを変更するように構成されている、請求項８に記載のイオン発生装置。
【請求項１０】
前記送風部は、前記複数のイオン検出部のうち、イオンを検出した量が最も少ない前記イオン検出部の方向に送風される風量を増加させるように構成されている、請求項８または請求項９に記載のイオン発生装置。
【請求項１１】
前記送風部は、前記複数のイオン検出部のうち、イオンを検出した量があらかじめ定められた所定の量よりも少ない前記イオン検出部の方向に送風するように送風の向きを変更するように構成されている、請求項８から請求項１０までのいずれか１項に記載のイオン発生装置。
【請求項１２】
前記送風部は、前記複数のイオン検出部のうち、イオンを検出した量があらかじめ定められた所定の量よりも少ない前記イオン検出部の方向に送風される風量を増加させるように構成されている、請求項８から請求項１１までのいずれか１項に記載のイオン発生装置。
【請求項１３】
前記送風部は、前記複数のイオン検出部のうち、イオンを検出した量があらかじめ定められた所定の量よりも多い前記イオン検出部の方向に送風される風量が少なくなるように送風の向きを変更するように構成されている、請求項８から請求項１２までのいずれか１項に記載のイオン発生装置。
【請求項１４】
前記送風部は、前記複数のイオン検出部のうち、イオンを検出した量があらかじめ定められた所定の量よりも多い前記イオン検出部の方向に送風される風量を少なくするように構成されている、請求項８から請求項１３までのいずれか１項に記載のイオン発生装置。
【発明の詳細な説明】
【技術分野】
【０００１】
この発明は、一般的にはイオン発生装置に関し、特定的には、空気中にイオンを放出するイオン発生装置に関する。
【背景技術】
【０００２】
従来、空気中に正イオン（プラスイオン）および／または負イオン（マイナスイオン）を放出するイオン発生装置がある。イオン発生装置では、例えば、イオン発生装置の内部において通風路の途中に配置されているイオン発生器でイオンを発生させる。イオン発生装置に用いられる標準的なイオン発生器では、針電極と対向電極との間、または、放電電極と誘電電極との間に高電圧の駆動電圧を印加することにより、コロナ放電を発生させて正イオンおよび／または負イオンを発生させる。イオン発生器で発生された正イオンおよび／または負イオンは、通風路を通過する空気とともに、イオン発生装置の外部の空間に放出される。
【０００３】
正イオンおよび／または負イオンには、居住空間等の空間内に浮遊している浮遊粒子を不活性化させたり、浮遊細菌を死滅させたりするとともに、臭気成分を変性させるものがある。このような正イオンおよび／または負イオンを空気中に放出することによって、空気を清浄化することができる。そこで、このような正イオンおよび／または負イオンを空気中に放出するイオン発生装置は、例えば、居住区間内の全体の空気を清浄化するための空気清浄機として用いられたり、空気調和機等の電気機器に備えられたりする。
【０００４】
例えば、イオン発生装置を備える市販の空気調和機では、空気調和機本体の表示部に、空気調和機の運転状況や、イオンの発生量等を表示するものがある。このような空気調和機では、空気調和機の運転状況等によって制御部が算出したイオン発生量が表示されることが多い。
【０００５】
しかし、イオンは空気中で消滅するため、制御部が算出したイオン発生量と、イオンが放出された空間におけるイオン量とは異なる。正イオンも負イオンも、イオンそのものは人の目で見たり、人の感覚によって感じ取ったりすることができるものではない。そのため、上記のような、空気調和機の制御部が算出したイオンの発生量を表示する表示部を見ても、使用者は、実際にはどれだけのイオンが室内にあるのかがわからない。室内にどれだけのイオンがあるのかを知るためには、室内のイオンを検出する必要がある。
【０００６】
例えば、特開２００２−２６０８２０号公報（特許文献１）には、イオン発生機能を備える本体と、本体を操作するリモコンを備えるイオン発生装置において、リモコンにイオン検知部が備えられている。リモコンによって検知されたイオンの量は、イオン発生装置本体の表示部とリモコンの表示部に表示される。使用者は、イオンの測定場所を任意に選ぶことができる。
【０００７】
また、特開平１０−３３２１６４号公報（特許文献２）に記載の空気調和機では、室内機の吸込口から吹出口への送風経路にイオン発生用の放射電極が備えられ、吸込口にイオンセンサが取り付けられている。この空気調和機では、イオンセンサからの信号をもとに表示部にイオン量を表示する。また、室内機の制御部は、イオンセンサから受けた信号によって、空気中のイオン量が設定値よりも少なければイオンの発生量を増加し、空気中のイオン量が多すぎる場合にはイオンの発生量を減少させる。
【０００８】
また、特開２００５−５５０２８号公報（特許文献３）には、天井埋め込み型の室内機と加湿機とイオン発生装置を有する空気清浄機と、湿度センサとイオンセンサとから構成される空気調和システムが記載されている。湿度センサとイオンセンサは、室内の各壁に１個ずつ設けられている。空気清浄機は、湿度センサで検知された湿度とイオンセンサで検知されたイオン量とに基づいて、加湿量やイオン発生量を調整することによって、室内でのばらつきを緩和している。
【先行技術文献】
【特許文献】
【０００９】
【特許文献１】特開２００２−２６０８２０号公報
【特許文献２】特開平１０−３３２１６４号公報
【特許文献３】特開２００５−５５０２８号公報
【発明の概要】
【発明が解決しようとする課題】
【００１０】
しかしながら、正イオンと負イオンは、発生後、時間の経過とともに急速に数が減少する。特に、正イオンと負イオンとを同時に、同一の空間内に放出する場合には、プラスイオンとマイナスイオンとの再結合によって急速にイオン数が減少する。また、イオンをイオン供給対象室内に送出する風の風向や風量によって、室内の位置によって分布量が異なる。そのため、特開２００２−２６０８２０号公報（特許文献１）に記載のイオン発生装置では、例えば表示部に表示されるイオンの量が変化しても、リモコンを持った使用者が移動したためであるのか、室内のイオンの量が変化したためであるのかがわからない。
【００１１】
また、特開平１０−３３２１６４号公報（特許文献２）に記載の空気調和機では、室内機の吸込口にイオンセンサが配置されているので、室内機から離れた位置でのイオン量を検出することができない。
【００１２】
また、特開２００５−５５０２８号公報（特許文献３）に記載の空気調和システムでは、イオンセンサと湿度センサの各々を室内の各壁面上に設置して、これらのセンサの検出結果に基づいて加湿量やイオン発生量を調整しているが、上述のように、イオン濃度の分布は、湿度の分布よりも時間とともに変化しやすく、位置による差異も大きい。そのため、イオンセンサが各壁面に取り付けられて、その各イオンセンサが検出したイオン量に基づいてイオンの発生量を調整しても、室内全体のイオンの濃度を適切に調整することができない。
【００１３】
プラスイオンおよび／またはマイナスイオンの濃度が一定のイオン濃度に保たれなければ、イオンによる本来の空気清浄効果、すなわち、殺菌、除菌、脱臭等の効果が得られない場合がある。プラスイオンおよび／またはマイナスイオンによって、イオン供給対象室内の清浄化を行なうためには、プラスイオンおよび／またはマイナスイオンが、イオン供給対象空間内の広い範囲において好ましい濃度分布になるように供給される必要がある。
【００１４】
そこで、この発明の目的は、イオン供給対象室内において、イオンを好ましい濃度で分布させることが可能なイオン発生装置を提供することである。
【課題を解決するための手段】
【００１５】
この発明に従ったイオン発生装置は、イオンを空気中に放出させるイオン発生装置本体と、空気中に放出されたイオンの量を検出する複数のイオン検出部とを備える。
【００１６】
イオン発生装置本体は、イオンを発生させるイオン発生部と、イオン発生部で発生されたイオンを空気中に放出するイオン放出部とを含む。
【００１７】
イオン検出部は、イオン発生装置本体から離隔して配置される。複数のイオン検出部は、それぞれ、互いに離隔して配置される。イオン発生装置は、それぞれのイオン検出部が検出したイオンの量に基づいて、イオン放出部から空気中に放出されるイオンの放出方向を変更するイオン放出方向変更部をさらに備える。
【００１８】
このように、複数のイオン検出部がイオン発生装置本体から離隔して配置され、複数のイオン検出部は、それぞれ、互いに離隔して配置されることによって、イオン供給対象室内において、より広い範囲のイオンを検出することができる。そして、イオン放出方向変更部によって、イオン放出部から放出されるイオンの放出方向を変更することにより、それぞれのイオン検出部が検出したイオンの量に基づいて、イオン放出部からそれぞれのイオン検出部が配置されている方向に放出されるイオンの量を容易に変更することができる。これにより、イオン供給対象室内においてより広い範囲に配置されるイオン検出部によって検出されたイオンの量に基づいて、イオン放出部から空気中に放出されるイオンの放出方向を変更することによって、イオン供給対象室内のより広い範囲におけるイオンの分布を調整しやすくなる。
【００１９】
このようにすることにより、イオン供給対象室内において、イオンを好ましい濃度で分布させることが可能なイオン発生装置を提供することができる。イオンを好ましい濃度で分布させることによって、イオンによる本来の空気清浄効果、すなわち、殺菌、除菌、脱臭等の効果が得られる。
【００２０】
この発明に従ったイオン発生装置においては、イオン発生部は、それぞれのイオン検出部が検出したイオンの量に基づいて、発生させるイオンの量を変更するように構成されていることが好ましい。
【００２１】
イオン発生部が発生させるイオンの量を変更することにより、それぞれのイオン検出部が検出したイオンの量に基づいて、イオン放出部から空気中に放出されるイオンの量を容易に変更することができる。
【００２２】
この発明に従ったイオン発生装置においては、イオン発生部は、イオン検出部が検出したイオンの量が、あらかじめ定められた所定の量よりも少ない場合に、発生させるイオンの量を増加させるように構成されていることが好ましい。
【００２３】
このようにすることにより、イオン供給対象室内のより広い範囲において、イオンの量をあらかじめ定められた所定の量よりも多く保つことができる。したがって、イオン供給対象室内におけるイオンの分布を好ましい濃度分布にしやすくなる。
【００２４】
この発明に従ったイオン発生装置においては、イオン発生部は、イオン検出部が検出したイオンの量が、あらかじめ定められた所定の量よりも多い場合に、発生させるイオンの量を減少させるように構成されていることが好ましい。
【００２５】
このようにすることにより、イオン供給対象室内におけるイオンの分布を好ましい濃度分布にしやすくなる。また、不必要に放出されるイオンを減少させることができるので、省エネルギーになる。
【００２６】
この発明に従ったイオン発生装置においては、イオン放出方向変更部は、複数のイオン検出部のうち、イオンを検出した量が最も少ないイオン検出部の方向にイオンを放出するように、イオン放出部のイオンの放出方向を変更することが好ましい。
【００２７】
このようにすることにより、イオン供給対象室内におけるイオン量の分布の幅を小さくすることができる。
【００２８】
この発明に従ったイオン発生装置においては、イオン放出方向変更部は、複数のイオン検出部のうち、イオンを検出した量があらかじめ定められた所定の量よりも少ないイオン検出部の方向にイオンを放出するように、イオン放出部のイオンの放出方向を変更することが好ましい。
【００２９】
このようにすることにより、イオン供給対象室内のより広い範囲において、イオンの量をあらかじめ定められた所定の量よりも多く保つことができる。したがって、イオン供給対象室内におけるイオンの分布を好ましい濃度分布にしやすくなる。
【００３０】
この発明に従ったイオン発生装置においては、イオン放出方向変更部は、複数のイオン検出部のうち、イオンを検出した量があらかじめ定められた所定の量よりも多いイオン検出部の方向に放出されるイオンの量を減少させるように、イオン放出部のイオンの放出方向を変更することが好ましい。
【００３１】
このようにすることにより、イオン供給対象室内におけるイオンの分布を好ましい濃度分布にしやすくなる。また、不必要に放出されるイオンを減少させることができるので、省エネルギーになる。
【００３２】
この発明に従ったイオン発生装置は、イオン発生部で発生されるイオンを送出するために送風を行う送風部を備えることが好ましい。送風部は、それぞれのイオン検出部が検出したイオンの量に基づいて、送風の向き、および／または、送風の量を変更するように構成されていることが好ましい。
【００３３】
送風部が送風の向き、および／または、送風の量を変更するように構成されていることにより、それぞれのイオン検出部が検出したイオンの量に基づいて、イオン放出部からそれぞれのイオン検出部が配置されている方向に放出されるイオンの量を容易に変更することができる。
【００３４】
この発明に従ったイオン発生装置においては、送風部は、複数のイオン検出部のうち、イオンを検出した量が最も少ないイオン検出部の方向に送風するように送風の向きを変更するように構成されていることが好ましい。
【００３５】
この発明に従ったイオン発生装置においては、送風部は、複数のイオン検出部のうち、イオンを検出した量が最も少ないイオン検出部の方向に送風される風量を増加させるように構成されていることが好ましい。
【００３６】
このようにすることにより、イオンを検出した量が最も少ないイオン検出部の方向により多くのイオンを放出させることができるので、イオン供給対象室内におけるイオン量の分布の幅を小さくすることができる。
【００３７】
この発明に従ったイオン発生装置においては、送風部は、複数のイオン検出部のうち、イオンを検出した量があらかじめ定められた所定の量よりも少ないイオン検出部の方向に送風するように送風の向きを変更するように構成されていることが好ましい。
【００３８】
この発明に従ったイオン発生装置においては、送風部は、複数のイオン検出部のうち、イオンを検出した量があらかじめ定められた所定の量よりも少ないイオン検出部の方向に送風される風量を増加させるように構成されていることが好ましい。
【００３９】
このようにすることにより、イオンを検出した量があらかじめ定められた所定の量よりも少ないイオン検出部の方向により多くのイオンを放出させることができるので、イオン供給対象室内のより広い範囲において、イオンの量をあらかじめ定められた所定の量よりも多く保つことができる。したがって、イオン供給対象室内におけるイオンの分布を好ましい濃度分布にしやすくなる。
【００４０】
この発明に従ったイオン発生装置においては、送風部は、複数のイオン検出部のうち、イオンを検出した量があらかじめ定められた所定の量よりも多いイオン検出部の方向に送風される風量が少なくなるように送風の向きを変更するように構成されていることが好ましい。
【００４１】
この発明に従ったイオン発生装置においては、送風部は、複数のイオン検出部のうち、イオンを検出した量があらかじめ定められた所定の量よりも多いイオン検出部の方向に送風される風量を少なくするように構成されていることが好ましい。
【００４２】
このようにすることにより、イオンを検出した量があらかじめ定められた所定の量よりも多いイオン検出部の方向に放出されるイオンの量を減少させることができるので、イオン供給対象室内におけるイオンの分布を好ましい濃度分布にしやすくなる。また、不必要に放出されるイオンを減少させることができるので、省エネルギーになる。
【発明の効果】
【００４３】
以上のように、この発明によれば、イオン供給対象室内において、イオンを好ましい濃度で分布させることが可能なイオン発生装置を提供することができる。
【図面の簡単な説明】
【００４４】
【図１】この発明の一つの実施の形態として、イオン発生装置が配置されたイオン供給対象室内の様子を模式的に示す図である。
【図２】この発明の一つの実施の形態として、イオン発生装置本体の構成を示す縦断正面図である。
【図３】この発明の一つの実施の形態として、イオン発生装置本体の構成を示す縦断側面図である。
【図４】イオン発生装置本体内に配置されたイオン発生器を示す正面図である。
【図５】イオン発生器の構成を示す縦断側面図である。
【図６】回転台の上面図（Ａ）と、（Ａ）に示すＢ−Ｂ線の方向から見た回転台の断面図（Ｂ）である。
【図７】イオン発生装置の制御関連の構成を示すブロック図である。
【図８】イオン発生装置の動作の一例を示すフローチャートである。
【発明を実施するための形態】
【００４５】
以下、この発明の実施の形態を図面に基づいて説明する。
【００４６】
図１に示すように、居住空間等のイオン供給対象室２００内には、イオン発生装置本体１００と、回転台８０と、４つのイオン量検出器９１，９２，９３，９４が設置される。イオン発生装置本体１００は、床面２０１上に配置される回転台８０の上に取り付けられて固定されている。回転台８０は、ほぼ水平な面内で回転可能であるように構成されている。４つのイオン量検出器９１，９２，９３，９４は、イオン発生装置本体１００から離隔して、壁面２０２上に配置されている。また、４つのイオン量検出器９１，９２，９３，９４は、互いに離隔して配置されている。
【００４７】
イオン発生装置本体１００はイオンを空気中に放出させる。イオン量検出器９１，９２，９３，９４は、空気中に放出されたイオンの量を検出する複数のイオン検出部の一例である。回転台８０は、イオン放出方向変更部の一例である。イオン発生装置本体１００と、回転台８０と、イオン量検出器９１，９２，９３，９４はイオン発生装置を構成している。なお、この実施の形態においては、イオン量検出器は４つ配置されているが、イオン量検出器の数は４つでなくてもよい。イオン量検出器９１，９２，９３，９４としては、市販されているイオン量検出器を用いることができる。
【００４８】
図２と図３に示す二点鎖線の矢印は、気流の流れる方向を表す。図３においては、左側がイオン発生装置本体１００の正面側である。図２と図３に示すように、イオン発生装置本体１００は、ハウジング１によって全体が覆われている。ハウジング１は、略直方体に形成され、側壁１ａ，１ｂ、天壁１ｃ、底壁１ｄ、前壁１ｅ、後壁１ｆとから構成されている。側壁１ａ，１ｂは互いに離隔して配置され、互いに対向するように配置されている。側壁１ａ，１ｂは、それぞれ、下部に吸込口１１を有する。天壁１ｃは、中央部に２つの嵌合孔１２を有する。
【００４９】
ハウジング１内の下部には、回転軸方向に延びる出力軸２１，２１を有するモータ２が配される。出力軸２１，２１は、モータ２の回転軸方向において、モータ２の両側に配置されている。モータ２の出力軸２１，２１のそれぞれには、羽根車３，３が装着されている。羽根車３，３は、二つのケーシング４，４に回転自在に収容される。
【００５０】
羽根車３，３の上方には、羽根車３，３のそれぞれの回転により発生する気流を個別に上方へ通流させる筒部としての２つのダクト５，５が、それぞれ配設されている。ダクト５，５のそれぞれは、プラスイオン発生部６１とマイナスイオン発生部６２とを含むイオン発生器６ａ，６ｃ、６ｂ，６ｄを下部に有する。イオン発生器６ａ，６ｂは、それぞれ、イオン発生器６ｃ，６ｄの上方に配置されている。また、ダクト５，５のそれぞれは、嵌合孔１２，１２に取外しを可能に配置された風向体７，７を備える。
【００５１】
イオン発生器６ａ，６ｂの上方には、発生したイオンを捕集する捕集電極６６および捕集電極６６の電位を計測する計測部６７が配されている。モータ２と、羽根車３，３とが送風部を構成する。なお、送風部による送風の向きは、回転台８０（図１）によって変更される。
【００５２】
ハウジング１の底壁１ｄは、平面視矩形に形成されている。前壁１ｅおよび後壁１ｆは、底壁１ｄの前後の二辺に連なる。両側壁１ａ，１ｂの下部の吸込口１１，１１には、フィルタ８，８が取り付けられている。フィルタ８，８は、羽根車３，３が吸込口１１，１１から吸込む空気を通過させ、空気中の異物を除去して清浄空気にする。天壁１ｃの嵌合孔１２，１２は、長手方向がイオン発生装置本体１００の前後方向に沿って延びる長方形をなしている。嵌合孔１２，１２の前側の内面が鉛直に対して前方へ傾斜し、後側の内面が鉛直に対して後方へ傾斜している。また、ハウジング１は上下方向の途中で上分体と下分体とに分断されている。ハウジング１の下分体にケーシング４，４が装着され、上分体にダクト５，５が装着されている。
【００５３】
羽根車３，３は、外縁に対し回転中心側が回転方向へ変位する複数の羽根３ａを有する多翼羽根車、換言すると円筒形状をなすシロッコファンである。羽根車３，３は一端に軸受板を有し、軸受板の中心に開設されている軸孔にモータ２の出力軸２１，２１が取り付けられている。羽根車３，３は、羽根車３，３の他端の開口から中心部の空洞へ吸込んだ空気を外周部の羽根３ａ間から放出するように構成されている。
【００５４】
ケーシング４，４は、羽根車３，３の回転により発生する気流を羽根車３，３の回転方向へ誘導し、気流の速度を増すための円弧形誘導壁４１，４１と、円弧形誘導壁４１，４１の一部から円弧形誘導壁４１，４１の接線方向の一方へ上向きに開放された吹出口４２，４２とを有する。吹出口４２，４２は円弧形誘導壁４１，４１の一部から円弧形誘導壁４１，４１の接線方向の一方に突出し、かつ、鉛直方向に対して斜め方向に突出する角筒形状をなしている。
【００５５】
また、ケーシング４，４は、深皿形をなし、ケーシング本体４ａ，４ａと、蓋板４ｂ，４ｂを備える。ケーシング本体４ａ，４ａは、円弧形誘導壁４１，４１および吹出口４２，４２用の開放部を有する。蓋板４ｂ，４ｂは、羽根車３，３の開口と対応する箇所が開放されているケーシング本体４ａ，４ａの開放側を閉塞する。ケーシング本体４ａ，４ａのそれぞれの対向側が仕切り用の連結壁４３にて一体に連結されている。また、蓋板４ｂ，４ｂの開放部とフィルタ８，８との間に、複数の通気孔を有する通気板９，９が設けられている。
【００５６】
連結壁４３のモータ２と対応する箇所は一方のケーシング本体４ａ側へ窪む凹所を有する。凹所の縁部に深皿状の支持板４４が取り付けられ、凹所と支持板４４の中央部間にゴム板４５，４５を介してモータ２が挾着保持される。凹所と支持板４４の中央部に開設されている軸孔に出力軸２１，２１が挿通される。このようにして、出力軸２１，２１に羽根車３，３を取り付けてある。また、連結壁４３の上端はケーシング４，４よりも上方へ延出されている。
【００５７】
ダクト５，５の下端は吹出口４２，４２に連なり、ダクト５，５の上端は嵌合孔１２，１２に連なる。ダクト５，５は上下方向の途中が絞られている角筒形の筒部からなる。また、ダクト５，５は、吹出口４２，４２から円弧形誘導壁４１，４１の接線方向の一方に沿って配された前壁５ａ，５ａ、および吹出口４２，４２からほぼ鉛直に配された後壁５ｂ，５ｂを有する。前壁５ａ，５ａおよび後壁５ｂ，５ｂには、ほぼ鉛直に配された二つの側壁５ｃ，５ｃ、５ｄ，５ｄが連なっており、吹出口４２，４２から吹き出された空気を、前壁５ａ，５ａおよび側壁５ｃ，５ｃ、５ｄ，５ｄに沿って層流とし、鉛直に沿わせて通流させるように構成されている。
【００５８】
前壁５ａ，５ａには、イオン発生器６ａ，６ｂ，６ｃ，６ｄのそれぞれのプラスイオン発生部６１とマイナスイオン発生部６２とに対応する貫通孔が開設されている。貫通孔にはイオン発生器６ａ，６ｂ，６ｃ，６ｄが嵌込みにより取り付けられている。後壁５ｂ，５ｂにはモータ２、イオン発生器６ａ，６ｂ，６ｃ，６ｄと、計測部６７および電源線に接続されている回路基板１０と、回路基板１０を被覆するカバー２０とが取り付けられている。
【００５９】
ダクト５，５は上下方向の途中でダクト上分体５１とダクト下分体５２とに分断されている。ダクト下分体５２は角筒形をなし、横方向の中央が連結壁４３にて仕切られている。ダクト上分体５１は、横方向に離隔して並置される角筒部５１ａ，５１ａの下部が連結部５１ｂにて一体に連なっており、連結部５１ｂおよび連結壁４３にて仕切られている。また、ダクト上分体５１の上端には、外部から指等の異物が挿入されるのを防ぐための防護網３０，３０を配してある。
【００６０】
風向体７，７は、角枠部７１，７１と複数の風向板７２，７２を有する。角枠部７１，７１は、イオン発生装置本体１００の前後方向に沿う面内における断面形状が逆台形をなす。風向板７２，７２は、角枠部７１，７１内に、イオン発生装置本体１００の前後方向において離隔して並置されて、鉛直に対して前後方向一方へ傾斜する。角枠部７１，７１の前後の壁は鉛直に対してイオン発生装置本体１００の前後方向へ傾斜している。
【００６１】
捕集電極６６は、イオンを捕集する略矩形の板状電極によって構成されている。イオン発生器６ａ，６ｂのそれぞれのプラスイオン発生部６１とマイナスイオン発生部６２が発生させたイオンを重点的に検出するために、捕集電極６６はプラスイオン発生部６１とマイナスイオン発生部６２の直近に配置されて、電極面がダクト５，５内に露出されている。
【００６２】
図４に示す矢印Ｐは、イオン発生装置本体の送風部による送風の方向を表す。図４に示すように、捕集電極６６の風上部にイオン発生器６ａ，６ｂ，６ｃ，６ｄが配置されている。捕集電極６６にプラスとマイナスの双方のイオンを捕集させるために、捕集電極６６直下にプラスイオン発生部６１とマイナスイオン発生部６２の放電電極が配置されている。イオン発生器６ａとイオン発生器６ｂとは、イオン発生器６ａのプラスイオン発生部６１とイオン発生器６ｂのマイナスイオン発生部６２とが対向するように配置されている。イオン発生器６ｃとイオン発生器６ｄは、イオン発生器６ｃのマイナスイオン発生部６２とイオン発生器６ｄのプラスイオン発生部６１が対向するように配置されている。また、イオン発生器６ａのマイナスイオン発生部６２とプラスイオン発生部６１は、それぞれ気流の流れる方向に沿って、イオン発生器６ｃのプラスイオン発生部６１とマイナスイオン発生部６２に対向するように配置されている。イオン発生器６ｂのマイナスイオン発生部６２とプラスイオン発生部６１は、それぞれ気流の流れる方向に沿って、イオン発生器６ｄのプラスイオン発生部６１とマイナスイオン発生部６２に対向するように配置されている。イオン発生器６ａ，６ｂ，６ｃ，６ｄそれぞれのプラスイオン発生部６１とマイナスイオン発生部６２は、貫通孔からダクト５，５（図２）内に臨んでいる。
【００６３】
図５に示すように、イオン発生器６ａ，６ｂ，６ｃ，６ｄのそれぞれは、略直方体のケース６０に収納されており、羽根車３，３（図２、図３）の回転により発生する空気の通流方向と略直交する方向に沿って離隔されたプラスイオンイオン発生部６１とマイナスイオン発生部６２とを備える。プラスイオン発生部６１とマイナスイオン発生部６２のそれぞれは、電極基板６３に配されており、尖鋭状をなす放電電極６１ａ，６２ａと放電電極６１ａ，６２ａを囲繞する誘導電極６１ｂ，６２ｂを有する。放電電極６１ａ，６２ａに高電圧を印加されると、コロナ放電が発生する。これにより、プラスイオン発生部６１がプラスのイオンを、マイナスイオン発生部６２がマイナスのイオンをそれぞれ発生させる。
【００６４】
電極基板６３には、トランジスタ、抵抗等の回路素子が配された回路基板６４が対向している。回路基板６４は、マイナスイオン発生部６２と対向する側に、高電圧を発生させる昇圧トランス６５を有する。図５に示す破線は、昇圧トランス６５の巻線から漏洩する磁束を表す。昇圧トランス６５の巻線の巻方向は、図５に破線で示すように、巻線から漏洩する磁束がマイナスイオン発生部６２の近傍において、プラスイオン発生部６１とマイナスイオン発生部６２の並設方向と略平行になるようにしてある。電極基板６３と回路基板６４との間と、昇圧トランス６５の周囲には、合成樹脂が充填されている。
【００６５】
図４と図５に示すように、捕集電極６６の電極面は、イオン発生器６ａ，６ｂが隣り合う方向、すなわち、プラスイオン発生部６１とマイナスイオン発生部６２の並設方向と略平行となるようにしてある。これにより、昇圧トランス６５，６５から漏洩する磁束がプラスイオン発生部６１とマイナスイオン発生部６２と対向する部分において捕集電極６６の電極面と略平行となるため、昇圧トランス６５，６５から漏洩する磁束が捕集電極６６と最小限に鎖交することになる。
【００６６】
図６の（Ａ）と（Ｂ）に示すように、回転台８０は、テーブル８１と、回転軸８２と、回転台駆動部８３と、角度検出器８４と、底板８５とから構成される。回転軸８２と回転台駆動部８３と角度検出器８４は、テーブル８１と底板８５によって覆われている。
【００６７】
テーブル８１の上面は円形状を有し、平らに形成されている。なお、テーブル８１の形状は、円形状でなくてもよい。テーブル８１は、回転台駆動部８３によって、回転軸８２を中心にして回転される。テーブル８１は、上方向から見て時計回りと反時計回りのどちらの方向にも、任意の角度だけ回転可能である。
【００６８】
テーブル８１の上には、イオン発生装置本体１００（図２、図３）が載せられて固定される。回転台駆動部８３によってテーブル８１が回転されると、イオン発生装置本体１００がテーブル８１とともに回転する。このようにして、イオン発生装置本体１００を回転させることによって、イオン放出口（図２、図３）からイオン発生装置本体１００の外部にイオンを放出する方向を変更することができる。
【００６９】
回転台８０の角度検出器８４としては、多点スイッチ、トリマー、マグネットスイッチなどを用いることができる。また、回転台駆動部８３をステッピングモータとして、回転台駆動部８３が角度検出器８４を兼ねることも可能である。
【００７０】
図７に示すように、イオン発生装置は、制御関連の構成として、制御部１１０と、運転スイッチ１０１と、表示部１０２と、モータ２と、プラスイオン発生部６１と、マイナスイオン発生部６２と、回転台８０（図６）の角度検出器８４と、回転台駆動部８３と、イオン量検出器９１，９２，９３，９４とを備える。
【００７１】
使用者が運転スイッチ１０１を操作すると、運転スイッチ１０１から制御部１１０に信号が送信される。制御部１１０は、運転スイッチ１０１から受信した信号に基づいて、プラスイオンとマイナスイオンとを発生させたり、イオンの発生を停止したりするように、プラスイオン発生部６１とマイナスイオン発生部６２に制御信号を送信する。また制御部１１０は、モータ２に制御信号を送信して、送風量を変更する。また、制御部１１０は、プラスイオンとマイナスイオンの発生状況等を表示させるように、表示部１０２に制御信号を送信する。
【００７２】
イオン量検出器９１，９２，９３，９４は、イオン発生装置本体１００（図２、図３）から空気中に放出されたプラスイオンとマイナスイオンを検出して、制御部１１０に信号を送信する。イオン量検出器９１，９２，９３，９４から制御部１１０への信号の送信は、例えば、赤外線通信によって行なわれる。
【００７３】
制御部１１０は後述するように、イオン量検出器９１，９２，９３，９４から受信した信号に基づいて、プラスイオン発生部６１とマイナスイオン発生部６２、モータ２、回転台駆動部８３を制御する。また、制御部１１０は、イオン量検出器９１，９２，９３，９４から受信した信号に基づいて、イオン量検出器９１，９２，９３，９４で検出されたプラスイオンとマイナスイオンの量を表示するように、表示部１０２に制御信号を送信する。
【００７４】
また、制御部１１０は、イオン量検出器９１，９２，９３，９４に信号を送信して、イオン量検出器９１，９２，９３，９４において検出されたイオン量と、あらかじめ定められた所定のイオン量との差を制御部に送信するように設定することができる。
【００７５】
なお、イオン量検出器９１，９２，９３，９４は、互いに信号を送受信するように構成されていてもよい。
【００７６】
角度検出器８４は、回転台８０（図６）が回転台駆動部８３によって回転された角度を検出して、制御部１１０に信号を送信する。
【００７７】
以上のように構成されるイオン発生装置の動作の一例について、図１〜図８を用いて説明する。図８に示すフローチャートにおいて、所定の判断の主体は制御部１１０である。
【００７８】
使用者によって運転スイッチ１０１が操作され、イオン発生装置の運転が開始されると、プラスイオン発生部６１とマイナスイオン発生部６２と、送風部のモータ２とが駆動される。
【００７９】
プラスイオン発生部６１とマイナスイオン発生部６２とが駆動されると、イオン発生器６ａ，６ｂ，６ｃ，６ｄでは、それぞれ、プラスイオンとマイナスイオンが発生される。
【００８０】
モータ２が駆動されると、羽根車３，３が回転し、室内の空気が２つの吸込口１１，１１から二つのケーシング４，４内へ吸込まれる。吸込まれた空気中の塵埃等の異物はフィルタ８，８により除去される。ケーシング４，４内に吸込まれた空気は、羽根車３，３の周りの円弧形誘導壁４１，４１により層流になる。この層流になった空気は、円弧形誘導壁４１，４１に沿って吹出口４２，４２へ通流し、吹出口４２，４２からダクト５，５内へ吹き出される。
【００８１】
ダクト５内では、イオン発生器６ａ，６ｂ，６ｃ，６ｄを通過する空気にプラスイオンとマイナスイオンが含まれる。プラスイオンとマイナスイオンとを含んだ空気は、イオン放出口７３からイオン発生装置本体１００の外部に放出されて、イオン供給対象室２００内に供給される。
【００８２】
ステップＳ００１では、イオン供給対象室２００内に供給されたプラスイオンとマイナスイオンは、イオン量検出器９１，９２，９３，９４によって検出される。ステップＳ００２では、制御部１１０は、イオン発生装置の運転開始から所定の時間が経過したかどうかを判断する。イオン発生装置の運転開始から所定の時間が経過していなければ、ステップＳ００２に戻る。イオン発生装置の運転開始から所定の時間が経過していれば、ステップＳ００３に進む。
【００８３】
ステップＳ００３では、制御部１１０は、回転台８０のテーブル８１を所定の角度だけ回転させるように、回転台駆動部８３を制御する。回転台駆動部８３を回転させると、回転の角度に応じて、イオン量検出器９１，９２，９３，９４のうちの特定のイオン量検出器と制御部１１０とが赤外線通信を行なう。ステップＳ００４では、制御部１１０はイオン量検出器９１，９２，９３，９４と制御部１１０とが赤外線通信を行なうことによって信号を受信する。制御部１１０は、イオン量検出器９１，９２，９３，９４のうちの１つと赤外線通信を行なう度に、その時に角度検出器８４によって検出されている角度を記憶する。このようにすることにより、以後の行程では、制御部１１０は、イオン量検出器９１，９２，９３，９４を、それぞれ、赤外線通信が行なわれるときに角度検出器８４によって検出される角度で識別することができる。
【００８４】
ステップＳ００５では、制御部１１０は、イオン量検出器９１，９２，９３，９４のうち、検出したイオンの量が、あらかじめ定められた所定のイオンの量として、第１の設定値よりも小さいイオン量検出器があるかどうかを判断する。検出したイオンの量が第１の設定値よりも小さいイオン量検出器があれば、ステップＳ００６に進む。検出したイオンの量が第１の設定値よりも小さいイオン量検出器がなければ、ステップＳ００７に進む。
【００８５】
ステップＳ００６では、制御部１１０は、検出したイオンの量が第１の設定値よりも小さいイオン量検出器の方向にイオン放出口７３を向けるように、回転台駆動部８３を制御する。制御部１１０は所定時間、回転台８０の回転を停止させて、検出したイオンの量が第１の設定値よりも小さいイオン量検出器の方向にイオンを放出させ続ける。この時、制御部１１０は、イオン放出口７３から送出される風量を増加させるようにモータ２を制御してもよい。所定時間経過後、ステップＳ００５に戻る。
【００８６】
イオン発生装置は、検出したイオンの量が第１の設定値よりも小さいイオン量検出器がなくなるまで、ステップＳ００５とステップＳ００６とを繰り返す。このようにすることにより、イオン供給対象室２００内においては、イオン量検出器９１，９２，９３，９４のいずれが配置されている位置でも、イオンの量を第１の設定値よりも大きくすることができる。
【００８７】
ステップＳ００７では、制御部１１０は、イオン量検出器９１，９２，９３，９４のうち、検出したイオンの量が、あらかじめ定められた所定のイオンの量として、第２の設定値よりも大きいイオン量検出器があるかどうかを判断する。検出したイオンの量が、第２の設定値よりも大きいイオン量検出器があれば、ステップＳ００８に進む。検出したイオンの量が、第２の設定値よりも大きいイオン量検出器がなければ、ステップＳ００３に戻る。第２の設定値は、第１の設定値よりも大きい値である。
【００８８】
ステップＳ００８では、制御部１１０は、検出したイオンの量が第２の設定値よりも大きいイオン量検出器の方向への送風量を減少させるように、回転台駆動部８３とモータ２を制御する。例えば、制御部１１０は、回転台駆動部８３を駆動して、検出したイオンの量が第２の設定値よりも大きいイオン量検出器の方向に送風されないように、イオン発生装置本体１００のイオン放出口７３の向きを変更する。また、例えば、制御部１１０はモータ２を制御して、検出したイオンの量が第２の設定値よりも大きいイオン量検出器の方向への送風量を減少させる。その後、ステップＳ００５に戻る。
【００８９】
イオン発生装置は、検出したイオンの量が第１の設定値よりも小さいイオン量検出器がなくなり、また、検出したイオンの量が第２の設定値よりも大きいイオン量検出器がなくなるまで、ステップＳ００５からステップＳ００８までを繰り返す。このようにすることにより、イオン供給対象室２００内においては、イオン量検出器９１，９２，９３，９４のいずれが配置されている位置でも、イオンの量が第１の設定値よりも大きく、第２の設定値よりも小さい範囲内にすることができる。
【００９０】
なお、この実施形態においては、制御部１１０は、イオン発生装置本体１００が回転台８０によって回転させられることによって、特定の回転角度のときに特定のイオン量検出器９１，９２，９３，９４と赤外線通信を行なうことによって信号を送受信する。しかし、イオン量検出器９１，９２，９３，９４と制御部１１０とは、他の方法で信号の送受信を行なってもよい。例えば、イオン量についてのデータの送受信方式については、特定小電力無線などの方式とすることも可能である。イオン量検出器９１，９２，９３，９４と制御部１１０との間で、データを特定小電力無線等の電波で送信する場合には、イオン量検出器９１，９２，９３，９４の設置場所を特定することが必要になる。そのため、この場合には、イオン量検出器９１，９２，９３，９４の設置場所のデータを、イオン量についてのデータと同時に送信することができるような機器構成が必要である。例えば、イオン量検出器９１，９２，９３，９４に小型ＧＰＳを搭載することが考えられる。小型ＧＰＳを搭載したイオン量検出器９１，９２，９３，９４を用いる場合には、イオン発生装置本体１００を中心として、イオン量検出器９１，９２，９３，９４を左右方向に複数に角度分割する。イオン量検出器９１，９２，９３，９４は、「右１」、「右２」、「左１」、「左２」などのように、イオン量検出器９１，９２，９３，９４が配置されている方向を、イオン量検出器９１，９２，９３，９４で検出されたイオンの量とともに、イオン発生装置本体１００の制御部１１０に送信する。
【００９１】
また、この実施の形態においては、イオン量検出器９１，９２，９３，９４と制御部１１０との間で行なわれる通信は無線通信としたが、有線通信であってもよい。
【００９２】
また、イオン量検出器９１，９２，９３，９４は、所定時間ごとに制御部１１０にイオン量についての情報を送信するように構成されていてもよい。
【００９３】
また、この実施の形態においては、回転台８０を回転させてイオン放出口７３の向きを変更したり、モータ２を制御して送風量を変更したりすることによって、イオン放出口から放出されるプラスイオンとマイナスイオンの量を調整している。しかし、イオン発生装置においては、プラスイオン発生部６１とマイナスイオン発生部６２とを制御することによって、プラスイオンとマイナスイオンの発生量を調整してもよい。プラスイオン発生部６１とマイナスイオン発生部６２とにおいてイオンの発生量を増加する方法としては、イオン発生器６ａ，６ｂ，６ｃ，６ｄの放電電圧を上げたり、イオン発生器６ａ，６ｂ，６ｃ，６ｄの印加パルスを増加させたり、イオン発生器６ａ，６ｂ，６ｃ，６ｄへの送風量を増加させる、すなわち、イオン発生器６ａ，６ｂ，６ｃ，６ｄへの送風速度を増加させたりする方法がある。また、プラスイオン発生部６１とマイナスイオン発生部６２とにおいてイオン発生量を減少させるには逆に、イオン発生器６ａ，６ｂ，６ｃ，６ｄの放電電圧を下げたり、イオン発生器６ａ，６ｂ，６ｃ，６ｄの印加パルスを減少させたり、イオン発生器６ａ，６ｂ，６ｃ，６ｄへの送風量を減少させる、すなわち、イオン発生器６ａ，６ｂ，６ｃ，６ｄへの送風速度を減少させたりすることが一般的である。
【００９４】
また、図８に示すフローチャートのステップＳ００６では、検出したイオンの量が第１の設定値よりも小さいイオン量検出器の方向に放出されるイオンの量を増加させている。しかし、イオン発生装置を簡素化するために、ステップＳ００６では、すべてのイオン量検出器９１，９２，９３，９４で検出されるイオン量が第１の設定値よりも大きくなるまで、イオン発生装置本体１００からイオンを放出させながら回転台８０を時計回りと反時計回りに回転させ続けてもよい。
【００９５】
また、この実施の形態においては、イオン供給対象室２００内で検出されるイオンの濃度が第１の設定値と第２の設定値との間の範囲になるように制御されている。しかし、制御部１１０は、例えば、イオン量検出器９１，９２，９３，９４のそれぞれで検出されたイオン量のうち、最小のイオン量を示すイオン量検出器の方向に、イオンを含む空気が送風されるようにモータ２と回転台駆動部８３を駆動してもよい。また、最も少ないイオン量を検出したイオン量検出器の方向にイオンを含む空気が送風されるようにモータ２と回転台駆動部８３を駆動してもよい。
【００９６】
さらにまた、この発明の実施の形態においては、イオン量検出器９１，９２，９３，９４の設定値を２つにしているが複数の値が設定されてもよい。また、イオン量検出器９１，９２，９３，９４からは、設定値に対する偏差値情報や、単に設定値以上であるか、設定値未満であるか、という判断の結果を制御部１１０に送信してもよい。この実施形態においては第１の設定値をイオン量の下限値、第２の設定値をイオン量の上限値として説明したが、設定値と関係なく、イオン量検出器９１，９２，９３，９４で検出された値をそのままデータとして送信し、イオン量の分布を絶対値で管理することも可能である。
【００９７】
また、イオン量検出器９１，９２，９３，９４からの信号の送信は「イベント」発生時のみとすることも可能である。「イベント」発生時のみ信号を送信する方法としては、例えば、イオン量が設定値の上限または下限を逸脱した時のみ制御部１１０に対して情報を送信する方法がある。このようにすることにより、通常、リモコンの電源として使用される電池の消耗を防止することができ、電池の長期使用を可能にする。
【００９８】
以上の実施の形態では、イオン発生装置について述べているが、本発明はイオン発生装置を備える他の装置、例えば、空気清浄機や空気調和機に用いることができる。
【００９９】
以上のように、この実施の形態のイオン発生装置は、イオンを空気中に放出させるイオン発生装置本体１００と、空気中に放出されたイオンの量を検出する複数のイオン量検出器９１，９２，９３，９４とを備える。
【０１００】
イオン発生装置本体１００は、イオンを発生させるプラスイオン発生部６１とマイナスイオン発生部６２と、プラスイオン発生部６１とマイナスイオン発生部６２で発生されたイオンを空気中に放出するイオン放出口７３とを含む。
【０１０１】
イオン量検出器９１，９２，９３，９４は、イオン発生装置本体１００から離隔して配置される。複数のイオン量検出器９１，９２，９３，９４は、それぞれ、互いに離隔して配置される。イオン発生装置は、それぞれのイオン量検出器９１，９２，９３，９４が検出したイオンの量に基づいて、イオン放出口７３から空気中に放出されるイオンの放出方向を変更する回転台８０をさらに備える。
【０１０２】
このように、複数のイオン量検出器９１，９２，９３，９４がイオン発生装置本体１００から離隔して配置され、複数のイオン量検出器９１，９２，９３，９４は、それぞれ、互いに離隔して配置されることによって、イオン供給対象室２００内において、より広い範囲のイオンを検出することができる。そして、回転台８０によって、イオン放出口７３から放出されるイオンの放出方向を変更することにより、それぞれのイオン量検出器９１，９２，９３，９４が検出したイオンの量に基づいて、イオン放出口７３からそれぞれのイオン量検出器９１，９２，９３，９４が配置されている方向に放出されるイオンの量を容易に変更することができる。これにより、イオン供給対象室２００内においてより広い範囲に配置されるイオン量検出器９１，９２，９３，９４によって検出されたイオンの量に基づいて、イオン放出口７３から空気中に放出されるイオンの放出方向を変更することによって、イオン供給対象室２００内のより広い範囲におけるイオンの分布を調整しやすくなる。
【０１０３】
このようにすることにより、イオン供給対象室２００内において、イオンを好ましい濃度で分布させることが可能なイオン発生装置を提供することができる。イオンを好ましい濃度で分布させることによって、イオンによる本来の空気清浄効果、すなわち、殺菌、除菌、脱臭等の効果が得られる。
【０１０４】
また、この実施の形態のイオン発生装置においては、プラスイオン発生部６１とマイナスイオン発生部６２は、それぞれのイオン量検出器９１，９２，９３，９４が検出したイオンの量に基づいて、発生させるイオンの量を変更するように構成されていることが好ましい。
【０１０５】
プラスイオン発生部６１とマイナスイオン発生部６２が発生させるイオンの量を変更することにより、それぞれのイオン量検出器９１，９２，９３，９４が検出したイオンの量に基づいて、イオン放出口７３から空気中に放出されるイオンの量を容易に変更することができる。
【０１０６】
また、この実施の形態のイオン発生装置においては、プラスイオン発生部６１とマイナスイオン発生部６２は、イオン量検出器９１，９２，９３，９４が検出したイオンの量が、あらかじめ定められた所定の量よりも少ない場合に、発生させるイオンの量を増加させるように構成されていることが好ましい。
【０１０７】
このようにすることにより、イオン供給対象室２００内のより広い範囲において、イオンの量をあらかじめ定められた所定の量よりも多く保つことができる。したがって、イオン供給対象室２００内におけるイオンの分布を好ましい濃度分布にしやすくなる。
【０１０８】
また、この実施の形態のイオン発生装置においては、プラスイオン発生部６１とマイナスイオン発生部６２は、イオン量検出器９１，９２，９３，９４が検出したイオンの量が、あらかじめ定められた所定の量よりも多い場合に、発生させるイオンの量を減少させるように構成されていることが好ましい。
【０１０９】
このようにすることにより、イオン供給対象室２００内におけるイオンの分布を好ましい濃度分布にしやすくなる。また、不必要に放出されるイオンを減少させることができるので、省エネルギーになる。
【０１１０】
また、この実施の形態のイオン発生装置においては、回転台８０は、複数のイオン量検出器９１，９２，９３，９４のうち、イオンを検出した量が最も少ないイオン量検出器９１，９２，９３，９４の方向にイオンを放出するように、イオン放出口７３のイオンの放出方向を変更することが好ましい。
【０１１１】
このようにすることにより、イオン供給対象室２００内におけるイオン量の分布の幅を小さくすることができる。
【０１１２】
また、この実施の形態のイオン発生装置においては、回転台８０は、複数のイオン量検出器９１，９２，９３，９４のうち、イオンを検出した量があらかじめ定められた所定の量よりも少ないイオン量検出器９１，９２，９３，９４の方向にイオンを放出するように、イオン放出口７３のイオンの放出方向を変更する。
【０１１３】
このようにすることにより、イオン供給対象室２００内のより広い範囲において、イオンの量をあらかじめ定められた所定の量よりも多く保つことができる。したがって、イオン供給対象室２００内におけるイオンの分布を好ましい濃度分布にしやすくなる。
【０１１４】
また、この実施の形態のイオン発生装置においては、回転台８０は、複数のイオン量検出器９１，９２，９３，９４のうち、イオンを検出した量があらかじめ定められた所定の量よりも多いイオン量検出器９１，９２，９３，９４の方向に放出されるイオンの量を減少させるように、イオン放出口７３のイオンの放出方向を変更することが好ましい。
【０１１５】
このようにすることにより、イオン供給対象室２００内におけるイオンの分布を好ましい濃度分布にしやすくなる。また、不必要に放出されるイオンを減少させることができるので、省エネルギーになる。
【０１１６】
また、この実施の形態のイオン発生装置は、プラスイオン発生部６１とマイナスイオン発生部６２で発生されるイオンを送出するために送風を行うモータ２と羽根車３を備える。モータ２と羽根車３は、それぞれのイオン量検出器９１，９２，９３，９４が検出したイオンの量に基づいて、送風の向き、および／または、送風の量を変更するように構成されていることが好ましい。
【０１１７】
モータ２と羽根車３が送風の向き、および／または、送風の量を変更するように構成されていることにより、それぞれのイオン量検出器９１，９２，９３，９４が検出したイオンの量に基づいて、イオン放出口７３からそれぞれのイオン量検出器９１，９２，９３，９４が配置されている方向に放出されるイオンの量を容易に変更することができる。
【０１１８】
また、この実施の形態のイオン発生装置においては、モータ２と羽根車３は、複数のイオン量検出器９１，９２，９３，９４のうち、イオンを検出した量が最も少ないイオン量検出器９１，９２，９３，９４の方向に送風するように送風の向きを変更するように構成されていることが好ましい。
【０１１９】
また、この実施の形態のイオン発生装置においては、モータ２と羽根車３は、複数のイオン量検出器９１，９２，９３，９４のうち、イオンを検出した量が最も少ないイオン量検出器９１，９２，９３，９４の方向に送風される風量を増加させるように構成されていることが好ましい。
【０１２０】
このようにすることにより、イオンを検出した量が最も少ないイオン量検出器９１，９２，９３，９４の方向により多くのイオンを放出させることができるので、イオン供給対象室２００内におけるイオン量の分布の幅を小さくすることができる。
【０１２１】
また、この実施の形態のイオン発生装置においては、モータ２と羽根車３は、複数のイオン量検出器９１，９２，９３，９４のうち、イオンを検出した量があらかじめ定められた所定の量よりも少ないイオン量検出器９１，９２，９３，９４の方向に送風するように送風の向きを変更するように構成されていることが好ましい。
【０１２２】
また、この実施の形態のイオン発生装置においては、モータ２と羽根車３は、複数のイオン量検出器９１，９２，９３，９４のうち、イオンを検出した量があらかじめ定められた所定の量よりも少ないイオン量検出器９１，９２，９３，９４の方向に送風される風量を増加させるように構成されていることが好ましい。
【０１２３】
このようにすることにより、イオンを検出した量があらかじめ定められた所定の量よりも少ないイオン量検出器９１，９２，９３，９４の方向により多くのイオンを放出させることができるので、イオン供給対象室２００内のより広い範囲において、イオンの量をあらかじめ定められた所定の量よりも多く保つことができる。したがって、イオン供給対象室２００内におけるイオンの分布を好ましい濃度分布にしやすくなる。
【０１２４】
また、この実施の形態のイオン発生装置においては、モータ２と羽根車３は、複数のイオン量検出器９１，９２，９３，９４のうち、イオンを検出した量があらかじめ定められた所定の量よりも多いイオン量検出器９１，９２，９３，９４の方向に送風される風量が少なくなるように送風の向きを変更するように構成されていることが好ましい。
【０１２５】
また、この実施の形態のイオン発生装置においては、モータ２と羽根車３は、複数のイオン量検出器９１，９２，９３，９４のうち、イオンを検出した量があらかじめ定められた所定の量よりも多いイオン量検出器９１，９２，９３，９４の方向に送風される風量を少なくするように構成されていることが好ましい。
【０１２６】
このようにすることにより、イオンを検出した量があらかじめ定められた所定の量よりも多いイオン量検出器９１，９２，９３，９４の方向に放出されるイオンの量を減少させることができるので、イオン供給対象室２００内におけるイオンの分布を好ましい濃度分布にしやすくなる。また、不必要に放出されるイオンを減少させることができるので、省エネルギーになる。
【０１２７】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正と変形を含むものである。
【符号の説明】
【０１２８】
２：モータ、３：羽根車、６１：プラスイオン発生部、６２：マイナスイオン発生部、７３：イオン放出口、８０：回転台、９１，９２，９３，９４：イオン量検出器、１００：イオン発生装置本体。
【図１】
2010266139.tif 000003
【図２】
2010266139.tif 000004
【図３】
2010266139.tif 000005
【図４】
2010266139.tif 000006
【図５】
2010266139.tif 000007
【図６】
2010266139.tif 000008
【図７】
2010266139.tif 000009
【図８】
2010266139.tif 000010
【手続補正書】
【提出日】平成22年7月7日(2010.7.7)
【手続補正１】
【補正対象書類名】特許請求の範囲
【補正対象項目名】全文
【補正方法】変更
【補正の内容】
【特許請求の範囲】
【請求項１】
イオンを空気中に放出させるイオン発生装置本体と、
空気中に放出されたイオンを検出する複数のイオン検出部と、を備え、
前記イオン発生装置本体は、イオンを発生させるイオン発生部と、前記イオン発生部で発生されたイオンを空気中に放出するイオン放出部と、を含み、
前記イオン検出部は、前記イオン発生装置本体から離隔して配置され、
前記複数のイオン検出部は、それぞれ、互いに離隔して配置され、
前記複数のイオン検出部のうち、イオンを検出した量が最も少ない前記イオン検出部の方向にイオンを放出するように、前記イオン放出部から空気中に放出されるイオンの放出方向を変更するイオン放出方向変更部をさらに備えた、
イオン発生装置。
【請求項２】
イオンを空気中に放出させるイオン発生装置本体と、
空気中に放出されたイオンを検出する複数のイオン検出部と、を備え、
前記イオン発生装置本体は、イオンを発生させるイオン発生部と、前記イオン発生部で発生されたイオンを空気中に放出するイオン放出部と、を含み、
前記イオン検出部は、前記イオン発生装置本体から離隔して配置され、
前記複数のイオン検出部は、それぞれ、互いに離隔して配置され、
前記複数のイオン検出部のうち、イオンを検出した量があらかじめ定められた所定の量よりも少ない前記イオン検出部の方向にイオンを放出するように、前記イオン放出部から空気中に放出されるイオンの放出方向を変更するイオン放出方向変更部をさらに備えた、
イオン発生装置。
【請求項３】
イオンを空気中に放出させるイオン発生装置本体と、
空気中に放出されたイオンを検出する複数のイオン検出部と、を備え、
前記イオン発生装置本体は、イオンを発生させるイオン発生部と、前記イオン発生部で発生されたイオンを空気中に放出するイオン放出部と、を含み、
前記イオン検出部は、前記イオン発生装置本体から離隔して配置され、
前記複数のイオン検出部は、それぞれ、互いに離隔して配置され、
前記複数のイオン検出部のうち、イオンを検出した量があらかじめ定められた所定の量よりも多い前記イオン検出部の方向に放出されるイオンの量を減少させるように、前記イオン放出部から空気中に放出されるイオンの放出方向を変更するイオン放出方向変更部をさらに備えた、
イオン発生装置。
【請求項４】
前記イオン発生部は、それぞれの前記イオン検出部が検出したイオンの量に基づいて、発生させるイオンの量を変更するように構成されている、
請求項１から請求項３までのいずれか１項に記載のイオン発生装置。
【請求項５】
前記イオン発生部は、前記イオン検出部が検出したイオンの量が、あらかじめ定められた所定の量よりも少ない場合に、発生させるイオンの量を増加させるように構成されている、
請求項１から請求項４までのいずれか１項に記載のイオン発生装置。
【請求項６】
前記イオン発生部は、前記イオン検出部が検出したイオンの量が、あらかじめ定められた所定の量よりも多い場合に、発生させるイオンの量を減少させるように構成されている、
請求項１から請求項５までのいずれか１項に記載のイオン発生装置。
【請求項７】
前記イオン発生部で発生されるイオンを送出するために送風を行う送風部を備え、
前記送風部は、前記複数のイオン検出部のうち、イオンを検出した量が最も少ない前記イオン検出部の方向に送風するように送風の向きを変更するように構成されている、
請求項１から請求項６までのいずれか１項に記載のイオン発生装置。
【請求項８】
前記送風部は、前記複数のイオン検出部のうち、イオンを検出した量が最も少ない前記イオン検出部の方向に送風される風量を増加させるように構成されている、
請求項７に記載のイオン発生装置。
【請求項９】
前記送風部は、前記複数のイオン検出部のうち、イオンを検出した量があらかじめ定められた所定の量よりも少ない前記イオン検出部の方向に送風するように送風の向きを変更するように構成されている、
請求項７または請求項８に記載のイオン発生装置。
【請求項１０】
前記送風部は、前記複数のイオン検出部のうち、イオンを検出した量があらかじめ定められた所定の量よりも少ない前記イオン検出部の方向に送風される風量を増加させるように構成されている、
請求項７から請求項９までのいずれか１項に記載のイオン発生装置。
【請求項１１】
前記送風部は、前記複数のイオン検出部のうち、イオンを検出した量があらかじめ定められた所定の量よりも多い前記イオン検出部の方向に送風される風量が少なくなるように送風の向きを変更するように構成されている、
請求項７から請求項１０までのいずれか１項に記載のイオン発生装置。
【請求項１２】
前記送風部は、前記複数のイオン検出部のうち、イオンを検出した量があらかじめ定められた所定の量よりも多い前記イオン検出部の方向に送風される風量を少なくするように構成されている、
請求項７から請求項１１までのいずれか１項に記載のイオン発生装置。
【手続補正２】
【補正対象書類名】明細書
【補正対象項目名】００６３
【補正方法】変更
【補正の内容】
【００６３】
図５に示すように、イオン発生器６ａ，６ｂ，６ｃ，６ｄのそれぞれは、略直方体のケース６０に収納されており、羽根車３，３（図２、図３）の回転により発生する空気の通流方向と略直交する方向に沿って離隔されたプラスイオン発生部６１とマイナスイオン発生部６２とを備える。プラスイオン発生部６１とマイナスイオン発生部６２のそれぞれは、電極基板６３に配されており、尖鋭状をなす放電電極６１ａ，６２ａと放電電極６１ａ，６２ａを囲繞する誘導電極６１ｂ，６２ｂを有する。放電電極６１ａ，６２ａに高電圧を印加されると、コロナ放電が発生する。これにより、プラスイオン発生部６１がプラスのイオンを、マイナスイオン発生部６２がマイナスのイオンをそれぞれ発生させる。